【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
幅方向に対抗する一対の側壁と、それらの側壁をつなぐ底壁と、によって、浄化対象とする金属溶湯が流通可能な流通路が形成された金属溶湯流通体を流通する金属溶湯を浄化するための金属溶湯浄化装置であって、
前記金属溶湯流通体の内部に設けられる内部部材と、前記金属溶湯流通体の外部に設けられる外部部材と、を備え、
前記内部部材は、
−前記流通路の内部に設けられる電極体であって、浄化対象とする金属溶湯の電気抵抗値よりも大きな電気抵抗値を有する導電性部材で構成され、前記流通路に設けられた状態において、金属溶湯流通体の幅方向に対向する一対の電極と、それらの電極をつなぐ底壁と、前記一対の電極と前記底壁とによって構成されるフィルター収納空間と、を有し、浄化対象とする金属溶湯を介して前記一対の電極間に電流が流れ得るように構成された、電極体と、
−前記フィルター収納空間に収納される、非導電性のフィルターと、
を有するものとして構成され、
前記外部部材は、上面側がＮ極又はＳ極に磁化された磁場装置として構成され、前記Ｎ極から出る磁力線又は前記Ｓ極へ入る磁力線と、前記一対の電極間に流れる電流と、が交叉して、浄化対象とする金属溶湯を前記流通路における流通方向に沿った方向に駆動するローレンツ力を発生させるように、前記金属溶湯流通体の下方に配置されている、
ことを特徴とする、金属溶湯浄化装置。
【請求項２】
前記金属溶湯流通体は、金属溶湯を搬送するための溶湯搬送樋である、又は、金属溶湯を浄化するための収納体である、ことを特徴とする請求項１に記載の金属溶湯浄化装置。
【請求項３】
前記電極体が前記金属溶湯流通体に対して着脱可能に構成されていること、及び、
前記フィルターは前記電極体の前記フィルター収納空間に着脱可能に構成されていること、の少なくとも一方を満足するように構成されたことを特徴とする請求項１又は２に記載の金属溶湯浄化装置。  
【請求項４】
前記フィルターは、１層のフィルターユニットにより構成されていることを特徴とする請求項１乃至３の１つに記載の金属溶湯浄化装置。
【請求項５】
前記フィルターは、複数層のフィルターユニットにより構成されていることを特徴とする請求項１乃至３の１つに記載の金属溶湯浄化装置。
【請求項６】
前記フィルターにおいては、複数層のフィルターユニットにおける隣合う一対のフィルターユニットは、金属溶湯の流入側のフィルターユニットの編み目よりも流出側のフィルターユニット編み目が小さくなるように、配置されている、ことを特徴とする請求項５に記載の金属溶湯浄化装置。
【請求項７】
前記外部部材は、永久磁石又は電磁石で構成されていることを特徴とする請求項１乃至６の１つに記載の金属溶湯浄化装置。
【請求項８】
前記電極体に電流を供給する電源装置をさらに備え、前記電源装置は、供給電力可変でパルス電流供給可能な直流電流源、又は供給電力及び周波数可変な交流電流源であることを特徴とする請求項１乃至７の１つに記載の金属溶湯浄化装置。
【請求項９】
幅方向に対抗する一対の側壁と、それらの側壁をつなぐ底壁と、によって、浄化対象とする金属溶湯が流通可能な流通路が形成された金属溶湯流通体を流通する金属溶湯を浄化するための金属溶湯浄化装置であって、
前記金属溶湯流通体の内部に設けられる内部部材と、前記金属溶湯流通体の外部に設けられる外部部材と、を備え、
前記内部部材は、
−前記流通路の内部に設けられる電極体であって、浄化対象とする金属溶湯の電気抵抗値よりも大きな電気抵抗値を有する導電性部材で構成され、前記流通路に設けられた状態において、金属溶湯流通体の幅方向に対向する一対の電極と、それらの電極をつなぐ底壁と、前記一対の電極と、を有し、浄化対象とする金属溶湯を介して前記一対の電極間に電流が流れ得るように構成された、電極体と、
−前記流通路の内部に設けられる非導電性の一対のフィルターであって、前記一対のフィルターは前記電極体を挟むように、前記流通路における流通方向に互いに離間した位置に設けられている、一対のフィルターと、
を有するものとして構成され、
前記外部部材は、上面側がＮ極又はＳ極に磁化された磁場装置として構成され、前記Ｎ極から出る磁力線又は前記Ｓ極へ入る磁力線と、前記一対の電極間に流れる電流と、が交叉して、浄化対象とする金属溶湯を前記流通路における流通方向に沿った方向に駆動するローレンツ力を発生させるように、前記金属溶湯流通体の下方に配置されている、
ことを特徴とする、金属溶湯浄化装置。
【請求項１０】
前記金属溶湯流通体は、金属溶湯を搬送するための溶湯搬送樋、又は、金属溶湯を浄化するための収納体であることを特徴とする請求項９に記載の金属溶湯浄化装置。
【請求項１１】
前記フィルターが前記金属溶湯流通体に対して着脱可能に構成されていることを特徴とする請求項９又は１０に記載の金属溶湯浄化装置。
【請求項１２】
前記電極体が前記金属溶湯流通体に対して着脱可能に構成されていることを特徴とする請求項９又は１０に記載の金属溶湯浄化装置。
【請求項１３】
前記フィルターは、１層のフィルターユニットにより構成されていることを特徴とする請求項９乃至１２の１つに記載の金属溶湯浄化装置。
【請求項１４】
前記フィルターは、複数層のフィルターユニットにより構成されていることを特徴とする請求項１１又は１２に記載の金属溶湯浄化装置。
【請求項１５】
前記フィルターにおいては、複数層のフィルターユニットにおける隣合う一対のフィルターユニットは、金属溶湯の流入側のフィルターユニットの編み目よりも流出側のフィルターユニット編み目が小さくなるように、配置されている、ことを特徴とする請求項１４に記載の金属溶湯浄化装置。
【請求項１６】
前記外部部材は、永久磁石又は電磁石で構成されていることを特徴とする請求項９乃至１５の１つに記載の金属溶湯浄化装置。
【請求項１７】
前記電極体に電流を供給する電源装置をさらに備え、前記電源装置は、供給電力可変でパルス電流供給可能な直流電流源、又は供給電力及び周波数可変な交流電流源であることを特徴とする請求項９乃至１６の１つに記載の金属溶湯浄化装置。
【請求項１８】
幅方向に対抗する一対の側壁と、それらの側壁をつなぐ底壁と、によって、浄化対象とする金属溶湯が流通可能な流通路が形成された金属溶湯流通体を流通する金属溶湯を浄化するための金属溶湯浄化装置であって、
前記金属溶湯流通体の内部に設けられる内部部材と、前記金属溶湯流通体の外部に設けられる外部部材と、を備え、
前記内部部材は、
−前記流通路の内部に着脱可能に設けられる、ほぼ矩形体状のものとして構成された、非導電性のフィルターであって、前記フィルターは、前記流通路を構成する前記一対の側壁の内面とそれぞれ接する両端面に、前記両端面から中心に向けて部分的に窪んだ状態に、電極収納空間が形成された、フィルターと、
−前記フィルターの両端面の前記電極収納空間にそれぞれ設けられる一対の電極と、
を有するものとして構成され、
前記外部部材は、上面側がＮ極又はＳ極に磁化された磁場装置として構成され、前記Ｎ極から出る磁力線又は前記Ｓ極へ入る磁力線と、前記一対の電極間に流れる電流と、が交叉して、浄化対象とする金属溶湯を前記流通路における流通方向に沿った方向に駆動するローレンツ力を発生させるように、前記金属溶湯流通体の下方に配置されている、
ことを特徴とする、金属溶湯浄化装置。
【請求項１９】
前記金属溶湯流通体は、金属溶湯を搬送するための溶湯搬送樋、又は、金属溶湯を浄化するための収納体であることを特徴とする請求項１８に記載の金属溶湯浄化装置。
【請求項２０】
前記フィルターが前記金属溶湯流通体に対して着脱可能に構成されていることを特徴とする請求項１８又は１９に記載の金属溶湯浄化装置。
【請求項２１】
前記一対の電極が前記フィルター及び前記金属溶湯流通体に対して着脱可能に構成されていることを特徴とする請求項１８又は１９に記載の金属溶湯浄化装置。
【請求項２２】
前記フィルターは、１層のフィルターユニットにより構成されていることを特徴とする請求項１８乃至２１の１つに記載の金属溶湯浄化装置。
【請求項２３】
前記フィルターは、複数層のフィルターユニットにより構成されていることを特徴とする請求項２０又は２１に記載の金属溶湯浄化装置。
【請求項２４】
前記フィルターにおいては、複数層のフィルターユニットにおける隣合う一対のフィルターユニットは、金属溶湯の流入側のフィルターユニットの編み目よりも流出側のフィルターユニットの編み目が小さくなるように、配置されている、ことを特徴とする請求項２３に記載の金属溶湯浄化装置。
【請求項２５】
前記外部部材は、永久磁石又は電磁石で構成されていることを特徴とする請求項１８乃至２４の１つに記載の金属溶湯浄化装置。
【請求項２６】
前記一対の電極に電流を供給する電源装置をさらに備え、前記電源装置は、供給電力可変でパルス電流供給可能な直流電流源、又は供給電力及び周波数可変な交流電流源であることを特徴とする請求１８乃至２５の１つに記載の金属溶湯浄化装置。
【請求項２７】
幅方向に対抗する一対の側壁と、それらの側壁をつなぐ底壁と、によって、浄化対象とする金属溶湯が流通可能な流通路が形成された金属溶湯流通体を流通する金属溶湯を浄化するための金属溶湯浄化装置であって、
前記金属溶湯流通体の内部に設けられる内部部材と、前記金属溶湯流通体の外部に設けられる外部部材と、を備え、
前記内部部材は導電性のフィルターとして構成され、前記フィルターは、
−前記流通路を構成する前記一対の側壁の内面とそれぞれ接し、フィルター支持枠を兼ねる一対の電極と、
−前記一対の電極間に挟持された状態に支持される導電性のフィルター本体と、
を有するものとして構成され、
前記外部部材は、上面側がＮ極又はＳ極に磁化された磁場装置として構成され、前記Ｎ極から出る磁力線又は前記Ｓ極へ入る磁力線と、前記一対の電極間に流れる電流と、が交叉して、浄化対象とする金属溶湯を前記流通路における流通方向に沿った方向に駆動するローレンツ力を発生させるように、前記金属溶湯流通体の下方に配置されている、
ことを特徴とする、金属溶湯浄化装置。
【請求項２８】
前記金属溶湯流通体は、金属溶湯を搬送するための溶湯搬送樋、又は、金属溶湯を浄化するための収納体であることを特徴とする請求項２７に記載の金属溶湯浄化装置。
【請求項２９】
前記フィルターが前記金属溶湯流通体に対して着脱可能に構成されていることを特徴とする請求項２７又は２８に記載の金属溶湯浄化装置。
【請求項３０】
前記フィルター本体は、１層のフィルターユニットにより構成されていることを特徴とする請求項２７乃至２９の１つに記載の金属溶湯浄化装置。
【請求項３１】
前記フィルター本体は、複数層のフィルターユニットにより構成されていることを特徴とする請求項２７乃至２９の１つに記載の金属溶湯浄化装置。
【請求項３２】
前記フィルター本体においては、複数層のフィルターユニットにおける隣り合う一対のフィルターユニットは、金属溶湯の流入側のフィルターユニットの編み目よりも流出側のフィルターユニットの編み目が小さくなるように、配置されている、ことを特徴とする請求項３１に記載の金属溶湯浄化装置。
【請求項３３】
前記外部部材は、永久磁石又は電磁石で構成されていることを特徴とする請求項２７乃至３２の１つに記載の金属溶湯浄化装置。
【請求項３４】
前記一対の電極に電流を供給する電源装置をさらに備え、前記電源装置は、供給電力可変でパルス電流供給可能な直流電流源、又は供給電力及び周波数可変な交流電流源であることを特徴とする請求２７乃至３３の１つに記載の金属溶湯浄化装置。
【請求項３５】
幅方向に対抗する一対の側壁と、それらの側壁をつなぐ底壁と、によって、浄化対象とする金属溶湯が流通可能な流通路が形成された金属溶湯流通体を流通する金属溶湯を浄化するための金属溶湯浄化装置であって、
前記金属溶湯流通体の内部に設けられる内部部材と、前記金属溶湯流通体の外部に設けられる外部部材と、を備え、
前記内部部材は、
−前記流通路に設けられた状態において、金属溶湯流通体の幅方向に対向し、浄化対象とする金属溶湯を介して電流が流れ得るように構成された、一対の電極と、
−前記流通路の内部に設けられる非導電性の一対のフィルターであって、前記一対のフィルターは前記一対の電極を挟むように、前記流通路における流通方向に互いに離間した位置に設けられている、一対のフィルターと、
を有するものとして構成され、
前記外部部材は、上面側がＮ極又はＳ極に磁化された磁場装置として構成され、前記Ｎ極から出る磁力線又は前記Ｓ極へ入る磁力線と、前記一対の電極間に流れる電流と、が交叉して、浄化対象とする金属溶湯を前記流通路における流通方向に沿った方向に駆動するローレンツ力を発生させるように、前記金属溶湯流通体の下方に配置されている、
ことを特徴とする、金属溶湯浄化装置。
【請求項３６】
前記金属溶湯流通体は、金属溶湯を搬送するための溶湯搬送樋、又は、金属溶湯を浄化するための収納体であることを特徴とする請求項３５に記載の金属溶湯浄化装置。
【請求項３７】
前記フィルターが前記金属溶湯流通体に対して着脱可能に構成されていることを特徴とする請求項３５又は３６に記載の金属溶湯浄化装置。
【請求項３８】
前記一対の電極が前記金属溶湯流通体に対して着脱可能に構成されていることを特徴とする請求項３５又は３６に記載の金属溶湯浄化装置。
【請求項３９】
前記フィルターは、１層のフィルターユニットにより構成されていることを特徴とする請求項３５乃至３８の１つに記載の金属溶湯浄化装置。
【請求項４０】
前記フィルターは、複数層のフィルターユニットにより構成されていることを特徴とする請求項３５乃至３８の１つに記載の金属溶湯浄化装置。
【請求項４１】
前記フィルターにおいては、複数層のフィルターユニットにおける隣合う一対のフィルターユニットは、金属溶湯の流入側のフィルターユニットの編み目よりも流出側のフィルターユニット編み目が小さくなるように、配置されている、ことを特徴とする請求項４０に記載の金属溶湯浄化装置。
【請求項４２】
前記外部部材は、永久磁石又は電磁石で構成されていることを特徴とする請求項３５乃至４１の１つに記載の金属溶湯浄化装置。
【請求項４３】
前記一対の電極に電流を供給する電源装置をさらに備え、前記電源装置は、供給電力可変でパルス電流供給可能な直流電流源、又は供給電力及び周波数可変な交流電流源であることを特徴とする請求３５乃至４２の１つに記載の金属溶湯浄化装置。